(57)【要約】【課題】機器類の休止状態を利用者に音声によって確実に知らせることができる昇降機の音声案内装置及び設備機器の音声案内装置を提供する。【解決手段】音声案内指令部３５は、昇降機１が休止状態である場合に乗場呼出ボタン６Ａ，６Ｂが操作されたときに、この昇降機１の休止状態を音声発生部３７に音声で案内させる。音声案内指令部３５は、乗場呼出ボタン６Ａ，６Ｂが利用者Ｍに操作されたタイミングで休止状態を音声で案内するように指令する。音声案内指令部３５は、昇降機１が停電状態である場合に利用者検出装置２５Ａ，２５Ｂが利用者Ｍを検出したときには、この昇降機１の休止状態を音声発生部３７に音声で案内させる。音声案内指令部３５は、昇降機１を利用する利用者Ｍを利用者検出装置２５Ａ，２５Ｂが検出したタイミングで休止状態を音声で案内するように指令する。【選択図】図１
2013173602.tif 000002
【特許請求の範囲】
【請求項１】
昇降機の休止状態を利用者に音声で案内する昇降機の音声案内装置であって、
前記昇降機が休止状態である場合に乗場呼出ボタンが操作されたときに、この昇降機の休止状態を音声発生部に音声で案内させる音声案内指令部を備えること、
を特徴とする昇降機の音声案内装置。
【請求項２】
請求項１に記載の昇降機の音声案内装置において、
前記音声案内指令部は、前記昇降機が休止状態になるときにこの昇降機の制御装置が送信する休止開始信号と、前記昇降機の乗場呼出ボタンが操作されたときにこの昇降機の制御装置が送信する乗場呼出信号とに基づいて、この昇降機の休止状態を前記音声発生部に音声で案内させること、
を特徴とする昇降機の音声案内装置。
【請求項３】
請求項１又は請求項２に記載の昇降機の音声案内装置において、
前記音声案内指令部は、前記乗場呼出ボタンが操作された階に存在する前記音声発生部のみに音声で案内させること、
を特徴とする昇降機の音声案内装置。
【請求項４】
請求項１から請求項３までのいずれか１項に記載の昇降機の音声案内装置において、
前記音声発生部は、前記利用者から見えない位置に設置されていること、
を特徴とする昇降機の音声案内装置。
【請求項５】
請求項１から請求項４までのいずれか１項に記載の昇降機の音声案内装置において、
前記音声案内指令部は、前記昇降機が停電状態である場合に利用者検出装置が前記利用者を検出したときには、この昇降機の休止状態を前記音声発生部に音声で案内させること、
を特徴とする昇降機の音声案内装置。
【請求項６】
請求項５に記載の昇降機の音声案内装置において、
前記音声案内指令部は、前記昇降機が停電状態になるときにこの昇降機の制御装置が送信する停電開始信号と、前記昇降機の乗場呼出ボタンが操作されたときにこの昇降機の制御装置が送信する乗場呼出信号とに基づいて、この昇降機の休止状態を前記音声発生部に音声で案内させること、
を特徴とする昇降機の音声案内装置。
【請求項７】
請求項５又は請求項６に記載の昇降機の音声案内装置において、
前記音声案内指令部は、前記利用者検出装置によって前記利用者が検出された階に存在する前記音声発生部のみに音声で案内させること、
を特徴とする昇降機の音声案内装置。
【請求項８】
請求項５から請求項７までのいずれか１項に記載の昇降機の音声案内装置において、
前記昇降機が停電状態であるときに電力を供給する蓄電装置を備えること、
を特徴とする昇降機の音声案内装置。
【請求項９】
外部からは休止状態を判別不可能な設備機器の休止状態を利用者に音声で案内する設備機器の音声案内装置であって、
前記設備機器が休止状態である場合にこの設備機器の操作ボタンが操作されたときに、この設備機器の休止状態を音声発生部に音声で案内させる音声案内指令部を備えること、
を特徴とする設備機器の音声案内装置。
【請求項１０】
請求項９に記載の設備機器の音声案内装置において、
前記音声案内指令部は、前記設備機器が休止状態になるときにこの設備機器の制御装置が送信する休止開始信号と、前記設備機器の操作ボタンが操作されたときにこの設備機器の制御装置が送信する操作信号とに基づいて、この設備機器の休止状態を前記音声発生部に音声で案内させること、
を特徴とする設備機器の音声案内装置。
【請求項１１】
請求項９又は請求項１０に記載の設備機器の音声案内装置において、
前記音声案内指令部は、前記設備機器が停電状態である場合に利用者検出装置が前記利用者を検出したときには、この設備機器の休止状態を前記音声発生部に音声で案内させること、
を特徴とする設備機器の音声案内装置。
【請求項１２】
請求項１１に記載の設備機器の音声案内装置において、
前記音声案内指令部は、前記設備機器が停電状態になるときにこの設備機器の制御装置が送信する停電開始信号と、前記設備機器の操作ボタンが操作されたときにこの設備機器の制御装置が送信する操作信号とに基づいて、この設備機器の休止状態を前記音声発生部に音声で案内させること、
を特徴とする設備機器の音声案内装置。
【請求項１３】
請求項１２に記載の設備機器の音声案内装置において、
前記設備機器が停電状態であるときに電力を供給する蓄電装置を備えること、
を特徴とする設備機器の音声案内装置。
【発明の詳細な説明】
【技術分野】
【０００１】
この発明は、昇降機の休止状態を利用者に音声で案内する昇降機の音声案内装置、及び外部からは休止状態を判別不可能な設備機器の休止状態を利用者に音声で案内する設備機器の音声案内装置に関する。
【背景技術】
【０００２】
従来の乗客コンベアの音声案内装置は、複数の乗客コンベア毎に異常を検出する異常検出部と、異常が発生した乗客コンベアの乗降口付近で音声案内を出力する音声出力部と、異常検出部が検出した異常の種類に応じた音声案内を音声出力部が出力するようにこの音声出力部を制御する制御部と、異常が発生した乗客コンベア以外の乗客コンベアに異常の情報を送信する通信部などを備えている（例えば、特許文献１参照）。このような従来の乗客コンベアの音声案内装置では、乗客コンベアの異常を異常検出部が検出すると、この異常の種類に応じた音声案内をこの乗客コンベアの乗降口付近で音声出力部が出力し、この乗客コンベアの乗客に警告し注意を喚起している。また、従来の乗客コンベアの音声案内装置では、異常が発生した乗客コンベア以外の乗客コンベアに異常情報を通信部が送信し、この異常が発生した乗客コンベア以外の乗客コンベアの乗客にも警告し注意を喚起している。
【先行技術文献】
【特許文献】
【０００３】
【特許文献１】特開2009-107762号公報
【発明の概要】
【発明が解決しようとする課題】
【０００４】
従来の乗客コンベアの音声案内装置では、乗客コンベアに異常が発生したときにこの乗客コンベアの乗降口付近で音声出力部から乗客に警告を発する。しかし、従来の乗客コンベアの音声案内装置では、音声出力部から警告が発せられた後に、異常が発生した乗客コンベアを乗客が利用しようとすると、この乗客コンベアに異常が発生したことが乗客に分からず、乗客コンベアの前で長時間乗客が待たなければならない問題点がある。例えば、駅ホームとコンコースとの間に乗客コンベアが設置されている駅では、乗客コンベアが休止状態であるときに乗客コンベアの前で乗客が長時間待つことになると、この乗客が利用したい列車に乗車できなくなってしまう問題点がある。また、従来の乗客コンベアの音声案内装置では、停電などによって主電源が失われたようなときには、乗客コンベアに異常が発生しても音声出力部から乗客に警告を発することができない問題点がある。
【０００５】
この発明の課題は、機器類の休止状態を利用者に音声によって確実に知らせることができる昇降機の音声案内装置及び設備機器の音声案内装置を提供することである。
【課題を解決するための手段】
【０００６】
この発明は、以下に記載するような解決手段により、前記課題を解決する。
なお、この発明の実施形態に対応する符号を付して説明するが、この実施形態に限定するものではない。
請求項１の発明は、図１〜図４に示すように、昇降機（１）の休止状態を利用者（Ｍ）に音声で案内する昇降機の音声案内装置であって、前記昇降機が休止状態（Ｔ14〜Ｔ20）である場合に乗場呼出ボタン（６Ａ，６Ｂ）が操作（Ｓ１３０）されたとき（Ｔ15，Ｔ17，Ｔ19）に、この昇降機の休止状態を音声発生部（３７）に音声で案内（Ｓ１４０）させる音声案内指令部（３５）を備えることを特徴とする昇降機の音声案内装置（２７Ａ，２７Ｂ）である。
【０００７】
請求項２の発明は、請求項１に記載の昇降機の音声案内装置において、前記音声案内指令部は、前記昇降機が休止状態になるときにこの昇降機の制御装置（２４）が送信（Ｓ１２０）する休止開始信号（Ｓ21）と、前記昇降機の乗場呼出ボタンが操作されたときにこの昇降機の制御装置が送信（Ｓ１３０）する乗場呼出信号（Ｓ31，Ｓ32）とに基づいて、この昇降機の休止状態を前記音声発生部に音声で案内させることを特徴とする昇降機の音声案内装置である。
【０００８】
請求項３の発明は、請求項１又は請求項２に記載の昇降機の音声案内装置において、前記音声案内指令部は、前記乗場呼出ボタンが操作された階に存在する前記音声発生部のみに音声で案内させることを特徴とする昇降機の音声案内装置である。
【０００９】
請求項４の発明は、請求項１から請求項３までのいずれか１項に記載の昇降機の音声案内装置において、図２に示すように、前記音声発生部は、前記利用者から見えない位置に設置されていることを特徴とする昇降機の音声案内装置である。
【００１０】
請求項５の発明は、請求項１から請求項４までのいずれか１項に記載の昇降機の音声案内装置において、前記音声案内指令部は、前記昇降機が停電状態（Ｔ21〜Ｔ26）である場合に利用者検出装置（２５Ａ，２５Ｂ）が前記利用者を検出（Ｓ１７０）したとき（Ｔ22，Ｔ23，Ｔ25）には、この昇降機の休止状態を前記音声発生部に音声で案内（Ｓ１８０）させることを特徴とする昇降機の音声案内装置である。
【００１１】
請求項６の発明は、請求項５に記載の昇降機の音声案内装置において、前記音声案内指令部は、前記昇降機が停電状態になるときにこの昇降機の制御装置が送信する停電開始信号（Ｓ41）と、前記昇降機の乗場呼出ボタンが操作されたときにこの昇降機の制御装置が送信する乗場呼出信号（Ｓ31，Ｓ32）とに基づいて、この昇降機の休止状態を前記音声発生部に音声で案内させることを特徴とする昇降機の音声案内装置である。
【００１２】
請求項７の発明は、請求項５又は請求項６に記載の昇降機の音声案内装置において、前記音声案内指令部は、前記利用者検出装置によって前記利用者が検出された階に存在する前記音声発生部のみに音声で案内させることを特徴とする昇降機の音声案内装置である。
【００１３】
請求項８の発明は、請求項５から請求項７までのいずれか１項に記載の昇降機の音声案内装置において、前記昇降機が停電状態であるときに電力を供給する蓄電装置（２６Ａ，２６Ｂ）を備えることを特徴とする昇降機の音声案内装置である。
【００１４】
請求項９の発明は、図５及び図６に示すように、外部からは休止状態を判別不可能な設備機器（３９）の休止状態を利用者（Ｍ）に音声で案内する設備機器の音声案内装置であって、前記設備機器が休止状態である場合にこの設備機器の操作ボタン（４０）が操作（Ｓ２３０）されたときに、この設備機器の休止状態を音声発生部（３７）に音声で案内（Ｓ２４０）させる音声案内指令部（４５）を備えることを特徴とする設備機器の音声案内装置（４３）である。
【００１５】
請求項１０の発明は、請求項９に記載の設備機器の音声案内装置において、前記音声案内指令部は、前記設備機器が休止状態になるときにこの設備機器の制御装置（４２）が送信する休止開始信号（Ｓ21）と、前記設備機器の操作ボタンが操作されたときにこの設備機器の制御装置が送信する操作信号（Ｓ6）とに基づいて、この設備機器の休止状態を前記音声発生部に音声で案内させることを特徴とする設備機器の音声案内装置である。
【００１６】
請求項１１の発明は、請求項９又は請求項１０に記載の設備機器の音声案内装置において、前記音声案内指令部は、前記設備機器が停電状態である場合に利用者検出装置（２５）が前記利用者を検出（Ｓ２７０）したときには、この設備機器の休止状態を前記音声発生部に音声で案内（Ｓ２８０）させることを特徴とする設備機器の音声案内装置である。
【００１７】
請求項１２の発明は、請求項１１に記載の設備機器の音声案内装置において、前記音声案内指令部は、前記設備機器が停電状態になるときにこの設備機器の制御装置が送信する停電開始信号（Ｓ41）と、前記設備機器の操作ボタンが操作されたときにこの設備機器の制御装置が送信する操作信号（Ｓ6）とに基づいて、この設備機器の休止状態を前記音声発生部に音声で案内（Ｓ２８０）させることを特徴としている設備機器の音声案内装置である。
【００１８】
請求項１３の発明は、請求項１２に記載の設備機器の音声案内装置において、前記設備機器が停電状態であるときに電力を供給する蓄電装置（２６）を備えることを特徴とする設備機器の音声案内装置である。
【発明の効果】
【００１９】
この発明によると、機器類の休止状態を利用者に音声によって確実に知らせることができる。
【図面の簡単な説明】
【００２０】
【図１】この発明の第１実施形態に係る昇降機の音声案内装置の構成図である。
【図２】この発明の第１実施形態に係る昇降機の音声案内装置の動作を説明する概念図であり、（Ａ）は昇降機が休止状態であるときの音声案内装置の動作を説明するための概念図であり、（Ｂ）は昇降機が停電状態であるときの音声案内装置の動作を説明するための概念図である。
【図３】この発明の第１実施形態に係る昇降機の音声案内装置の動作を説明するためのフローチャートである。
【図４】この発明の第１実施形態に係る昇降機の音声案内装置の動作を説明するためのタイミングチャートである。
【図５】この発明の第２実施形態に係る設備機器の音声案内装置の構成図である。
【図６】この発明の第２実施形態に係る設備機器の音声案内装置の動作を説明するためのフローチャートである。
【発明を実施するための形態】
【００２１】
（第１実施形態）
以下、図面を参照して、この発明の第１実施形態について詳しく説明する。
図２に示す利用者Ｍは、昇降機１を利用する旅客である。利用者Ｍは、例えば、列車を止めて旅客を乗降させる旅客駅などの乗降場（プラットホーム）と、駅本屋の出入口から乗降場に至る通路（コンコース）との間を移動する。
【００２２】
図１に示す昇降機１は、人又は荷物を昇降路によって上下方向に運搬する装置である。昇降機１は、プラットホームとコンコースとの間で利用者Ｍを運搬するエレベータなどである。昇降機１は、例えば、線路の上部に駅本屋が存在する橋上駅において下階の乗降場（ホーム階）と上階の駅本屋（コンコース階）との間で利用者Ｍを搬送したり、線路が地中に存在する地下駅において下階の乗降場（ホーム階）と上階の駅本屋（コンコース階）との間で利用者Ｍを搬送したりする。昇降機１は、かご２と、釣り合い錘３と、ワイヤロープ４と、巻上機５と、乗場呼出ボタン６Ａ，６Ｂと、乗場側ドア７Ａ，７Ｂと、ドア開閉駆動部８と、ドア開閉検出部９Ａ，９Ｂと、かご位置検出部１０Ａ，１０Ｂと、故障検出部１１と、地震検出部１２と、火災検出部１３と、手動休止設定部１４と、メンテナンス設定部１５と、休止解除設定部１６と、電源状態検出部１７と、音声案内指令信号出力部１８と、休止開始信号出力部１９と、休止終了信号出力部２０と、乗場呼出信号出力部２１と、停電開始信号出力部２２と、停電終了信号出力部２３と、制御装置２４などを備えている。
【００２３】
かご２は、利用者Ｍ又は荷物を載せる部分である。かご２は、上階と下階との間で昇降可能なようにガイドレールによってガイドされており、かご側ドア２ａとドア開閉ボタン２ｂなどを備えている。かご側ドア２ａは、上階及び下階の乗場で利用者Ｍが乗降するときに開閉するドアであり、かご２側の乗降口を開閉する引き戸である。ドア開閉ボタン２ｂは、かご２内の利用者Ｍがかご側ドア２ａを開閉するときに操作するボタンであり、利用者Ｍによって操作されたときにドア開閉信号を制御装置２４に出力する。釣り合い錘３は、かご２との重量バランスを取るための部材であり、かご２と釣り合うカウンタウェイトとして機能する。ワイヤロープ４は、かご２と釣り合い錘３とを繋ぐ部材であり、巻上機５に巻き掛けられた状態で一端部がかご２に連結されており他端部が釣り合い錘３に連結されている。巻上機５は、かご２及び釣り合い錘３を昇降させる装置である。巻上機５は、かご２及び釣り合い錘３を昇降させるための駆動力を発生する電動モータを備えており、正転及び逆転することによってかご２及び釣り合い錘３を上昇及び下降させる。
【００２４】
乗場呼出ボタン６Ａ，６Ｂは、かご２を乗場に呼び出すときに利用者Ｍが操作するボタンである。乗場呼出ボタン６Ａは、上階の利用者Ｍがかご２をこの上階の乗場に呼び出すときに利用者Ｍによって操作され、乗場呼出ボタン６Ｂは下階の利用者Ｍがかご１ａをこの下階の乗場に呼び出すときに利用者Ｍによって操作される。乗場呼出ボタン６Ａ，６Ｂは、例えば、タッチパネル式の押しボタン式スイッチであり、利用者Ｍによって操作されたときに各階に対応する乗場呼出信号Ｓ31，Ｓ32を制御装置２４に出力する。
【００２５】
乗場側ドア７Ａ，７Ｂは、かご側ドア２ａと連動して開閉するドアであり、乗場側ドア７Ａは上階の乗場にかご２が位置するときに開閉し、乗場側ドア７Ｂは下階の乗場にかご２が位置するときに開閉する。乗場側ドア７Ａ，７Ｂは、乗場側の乗降口を開閉する引き戸であり、乗場側から見てかご側ドア２ａの手前側に配置されている。乗場側ドア７Ａ，７Ｂは、かご側ドア２ａの鍵装置と噛み合う鍵装置を備えており、かご側ドア２ａが開閉動作したときにこのかご側ドア２ａと連動して開閉動作する。乗場側ドア７Ａ，７Ｂは、かご側ドア２ａが開放すると鍵装置が解錠されて、このかご側ドア２ａの駆動力を受けて開放し、このかご側ドア２ａが閉鎖すると鍵装置が施錠されて、このかご側ドア２ａの駆動力を受けて閉鎖する。
【００２６】
ドア開閉駆動部８は、かご側ドア２ａ及び乗場側ドア７Ａ，７Ｂを開閉駆動する部分である。ドア開閉駆動部８は、乗場にかご２が到着して利用者Ｍがかご２に乗降するときにかご側ドア２ａを開放し、利用者Ｍがかご２に乗降して乗場からかご２が移動するときにかご側ドア２ａを閉鎖する。ドア開閉駆動部８は、かご側ドア２ａを開閉動作させることによってこのかご側ドア２ａと連動して乗場側ドア７Ａ，７Ｂを開閉動作させるための駆動力を発生するモータなどの駆動力発生装置である。
【００２７】
ドア開閉検出部９Ａ，９Ｂは、かご側ドア２ａ及び乗場側ドア７Ａ，７Ｂの開閉を検出する部分である。ドア開閉検出部９Ａ，９Ｂは、かご側ドア２ａ及び乗場側ドア７Ａ，７Ｂの開放を検出するとともに、このかご側ドア２ａの閉鎖を検出する。ドア開閉検出部９Ａは、上層の乗場にかご２が位置するときにかご側ドア２ａ及び乗場側ドア７Ａ，７Ｂの開閉状態を検出し、ドア開閉検出部９Ｂは下層の乗場にかご２が位置するときにかご側ドア２ａ及び乗場側ドア７Ａ，７Ｂの開閉状態を検出する。ドア開閉検出部９Ａ，９Ｂは、かご側ドア２ａ及び乗場側ドア７Ａ，７Ｂの完全な開放状態及び閉鎖状態を検出したときにドア開閉検出信号を制御装置２４に出力する。
【００２８】
かご位置検出部１０Ａ，１０Ｂは、かご２の位置を検出する部分である。かご位置検出部１０Ａは、上階の乗場へのかご２の到着を検出し、かご位置検出部１０Ｂは下階の乗場へのかご２の到着を検出する。かご位置検出部１０Ａ，１０Ｂは、例えば、かご２が乗場の停止位置で停止したか否かを検出する機械式スイッチなどである。かご位置検出部１０Ａ，１０Ｂは、上階及び下階へのかご２が到着しこのかご２の完全な停止状態を検出したときにはかご位置検出信号を制御装置２４に出力する。
【００２９】
故障検出部１１は、昇降機１の故障を検出する部分である。故障検出部１１は、例えば、昇降機１の巻上機５、ドア開閉駆動部８及びドア開閉検出部９Ａ，９Ｂなどの状態を常時検出している。故障検出部１１は、昇降機１が故障状態になったときには、この昇降機１の故障状態を告知するために故障検出信号を制御装置２４に出力する。
【００３０】
地震検出部１２は、地震の発生を検出する部分である。地震検出部１２は、例えば、所定の震度以上の揺れを検出したときには、昇降機１を安全に停止させるために地震検出信号を制御装置２４に出力する。火災検出部１３は、火災の発生を検出する部分である。火災検出部１３は、例えば、昇降機１の内部及び乗場付近で火災が発生したときには、昇降機１を安全に停止させるために火災検出信号を制御装置２４に出力する。
【００３１】
手動休止設定部１４は、昇降機１を係員が手動で休止状態に設定する部分である。手動休止設定部１４は、例えば、昇降機１の所有者側の事情によりこの昇降機１の使用を禁止するために、この昇降機１が強制的に休止状態になるように係員が手動で操作したときに、手動休止設定信号を制御装置２４に出力する。
【００３２】
メンテナンス設定部１５は、昇降機１に作業者がメンテナンス作業を実施するときに設定される部分である。メンテナンス設定部１５は、例えば、昇降機１を作業者が点検及び修理するために、この昇降機１が強制的に使用禁止状態になるように作業者が手動で操作したときに、メンテナンス設定信号を制御装置２４に出力する。
【００３３】
休止解除設定部１６は、昇降機１の休止状態を解除するときに設定される部分である。休止解除設定部１６は、例えば、故障検出部１１が昇降機１の故障を検出した後にこの昇降機１が修理された場合、地震検出部１２が地震発生を検出した後に昇降機１の安全が確認された場合、火災検出部１３が火災発生を検出した後に昇降機１の安全が確認された場合、手動休止設定部１４が昇降機１を休止状態に設定した後にこの昇降機１を休止状態から復帰させる場合、及びメンテナンス設定部１５が昇降機１を使用禁止状態に設定した後にこの昇降機１を使用禁止状態から復帰させる場合などに、この昇降機１が使用可能状態になるようにこの昇降機１の管理者が手動で操作したときに、休止解除設定信号を制御装置２４に出力する。
【００３４】
電源状態検出部１７は、昇降機１の電源の状態を検出する部分である。電源状態検出部１７は、例えば、昇降機１に供給される主電源からの電力を監視しており、停電時であっても電力の監視が可能なようにバッテリ（蓄電池）などの非常用蓄電装置からの電力によって、昇降機１の電源の状態を常時動作する。電源状態検出部１７は、昇降機１に主電源から電力が供給されずこの昇降機１が停電状態になったときには停電開始信号Ｓ41を制御装置２４に出力する。一方、電源状態検出部１７は、昇降機１の停電状態が復旧しこの昇降機１にこの主電源から電力が供給されて給電状態になったときには停電終了信号Ｓ42を制御装置２４に出力する。
【００３５】
音声案内指令信号出力部１８は、音声案内装置２７Ａ，２７Ｂに音声による所定の案内を指令する音声案内指令信号Ｓ11を出力する部分である。音声案内指令信号出力部１８は、例えば、かご位置検出部１０Ａ，１０Ｂが出力するかご位置検出信号に基づいて上階及び下階の乗場へのかご２の到着の案内を指令したり、ドア開閉検出部９Ａ，９Ｂが出力するドア開閉検出信号に基づいてかご側ドア２ａ及び乗場側ドア７Ａ，７Ｂの開閉の案内を指令したり、地震検出部１２が出力する地震検出信号に基づいて地震発生の案内を指令したり、火災検出部１３が出力する火災検出信号に基づいて火災発生の案内などを指令したりするための音声案内指令信号Ｓ11を音声案内装置２７Ａ，２７Ｂに出力する。
【００３６】
休止開始信号出力部１９は、昇降機１が休止状態を開始するときに休止開始信号Ｓ21を出力する部分である。休止開始信号出力部１９は、故障検出部１１が故障時に出力する故障検出信号、地震検出部１２が地震検知時に出力する地震検出信号、火災検出部１３が火災検知時に出力する火災検出信号、手動休止設定部１４が手動休止時に出力する手動休止設定信号及びメンテナンス設定部１５がメンテナンス時に出力するメンテナンス設定信号などを休止開始信号Ｓ21として音声案内装置２７Ａ，２７Ｂに出力する。休止終了信号出力部２０は、昇降機１が休止状態を終了するときに休止終了信号Ｓ22を出力する部分である。休止終了信号出力部２０は、休止解除設定部１６が休止解除時に出力する休止解除信号などを休止終了信号Ｓ22として音声案内装置２７Ａ，２７Ｂに出力する。
【００３７】
乗場呼出信号出力部２１は、乗場呼出ボタン６Ａ，６Ｂが操作されたときに乗場呼出信号Ｓ31，Ｓ32を出力する部分である。乗場呼出信号出力部２１は、各階の乗場呼出ボタン６Ａ，６Ｂが出力する乗場呼出信号Ｓ31，Ｓ32を音声案内装置２７Ａ，２７Ｂに出力する。乗場呼出信号出力部２１は、上階の乗場呼出ボタン６Ａが利用者Ｍによって操作されたときには乗場呼出信号Ｓ31を送信し、下階の乗場呼出ボタン６Ｂが利用者Ｍによって操作されたときには乗場呼出信号Ｓ32を送信する。
【００３８】
停電開始信号出力部２２は、昇降機１が停電状態になったときに停電開始信号Ｓ41を出力する部分である。停電開始信号出力部２２は、電源状態検出部１７が出力する停電開始信号Ｓ41を音声案内装置２７Ａ，２７Ｂに出力する。停電終了信号出力部２３は、昇降機１が停電状態から復旧したときに停電終了信号Ｓ42を出力する部分である。停電終了信号出力部２３は、電源状態検出部１７が出力する停電終了信号Ｓ42を音声案内装置２７Ａ，２７Ｂに出力する。
【００３９】
制御装置２４は、昇降機１に関する種々の動作を制御する中央処理部（CPU）である。制御装置２４は、例えば、乗場呼出ボタン６Ａ，６Ｂが操作された乗場にかご２が昇降するように、この乗場呼出ボタン６Ａ，６Ｂが出力する乗場呼出信号Ｓ31，Ｓ32に基づいてこの巻上機５を動作制御したり、乗場に到着したかご２のかご側ドア２ａ及び乗場側ドア７Ａ，７Ｂが開閉するように、かご位置検出部１０Ａ，１０Ｂが出力するかご位置検出信号とドア開閉ボタン２ｂが出力するドア開閉信号とに基づいてドア開閉駆動部８を動作制御したり、かご側ドア２ａ及び乗場側ドア７Ａ，７Ｂが完全に開閉した後にかご２が昇降するように、ドア開閉検出部９Ａ，９Ｂが出力するドア開閉検出信号に基づいて巻上機５を動作制御したり、かご位置検出部１０Ａ，１０Ｂが出力するかご位置検出信号、ドア開閉検出部９Ａ，９Ｂが出力するドア開閉検出信号、地震検出部１２が出力する地震検出信号及び火災検出部１３が出力する火災検出信号などを音声案内指令信号Ｓ11として音声案内指令信号出力部１８に送信したり、乗場呼出ボタン６Ａ，６Ｂが出力する乗場呼出信号Ｓ31，Ｓ32を乗場呼出信号出力部２１に送信したり、故障検出部１１が出力する故障検出信号、地震検出部１２が出力する地震検出信号、火災検出部１３が出力する火災検出信号、手動休止設定部１４が出力する休止手動設定信号及びメンテナンス設定部１５が出力するメンテナンス設定信号を休止開始信号Ｓ21として休止開始信号出力部１９に送信したり、休止解除設定部１６が出力する休止解除設定信号を休止終了信号Ｓ22として休止終了信号出力部２０に送信したり、電源状態検出部１７が出力する停電開始信号Ｓ41を停電開始信号出力部２２に送信したり、電源状態検出部１７が出力する停電終了信号Ｓ42を停電終了信号出力部２３に送信したりする。制御装置２４には、巻上機５、乗場呼出ボタン６Ａ，６Ｂ、ドア開閉駆動部８、ドア開閉検出部９Ａ，９Ｂ、かご位置検出部１０Ａ，１０Ｂ、故障検出部１１、地震検出部１２、火災検出部１３、手動休止設定部１４、メンテナンス設定部１５、休止解除設定部１６、電源状態検出部１７、音声案内指令信号出力部１８、休止開始信号出力部１９、休止終了信号出力部２０、乗場呼出信号出力部２１、停電開始信号出力部２２及び停電終了信号出力部２３などが通信手段によって相互に通信可能に接続されている。
【００４０】
次に、この発明の第１実施形態に係る昇降機の音声案内装置を備える昇降機の動作を説明する。
以下では、昇降機１のかご２が下階に位置しているときに、上階の利用者Ｍが下階に移動する場合を例に挙げて説明する。上階の利用者Ｍが乗場呼出ボタン６Ａを操作すると乗場呼出ボタン６Ａが乗場呼出信号Ｓ31を制御装置２４に出力し、下階の乗場から上階の乗場までかご２が上昇するようにこの乗場呼出信号Ｓ31に基づいて制御装置２４が巻上機５を動作制御する。かご２が上階の乗場まで上昇して停止すると、かご位置検出部１０Ａがかご位置検出信号を制御装置２４に出力し、かご側ドア２ａ及び乗場側ドア７Ａが開放するようにドア開閉駆動部８を制御装置２４が動作制御する。利用者Ｍがかご２内に乗りドア開閉ボタン２ｂを操作すると、ドア開閉ボタン２ｂがドア開閉信号を制御装置２４に出力し、かご側ドア２ａ及び乗場側ドア７Ａが閉鎖するようにこのドア開閉信号に基づいてドア開閉駆動部８を制御装置２４が動作制御する。かご側ドア２ａ及び乗場側ドア７Ａが完全に閉鎖してドア開閉検出部９Ａがドア開閉検出信号を制御装置２４に出力すると、上階の乗場から下階の乗場にかご２が降下するように制御装置２４が巻上機５を動作制御する。かご２が下階の乗場まで下降して停止すると、かご位置検出部１０Ｂがかご位置検出信号を制御装置２４に出力し、かご側ドア２ａ及び乗場側ドア７Ａが開放するようにドア開閉駆動部８を制御装置２４が動作制御する。その結果、かご２内から下階の乗場に利用者Ｍが降りて上階から下階まで利用者Ｍが移動する。
【００４１】
利用者検出装置２５Ａ，２５Ｂは、昇降機１を利用する利用者Ｍを検出する装置である。利用者検出装置２５Ａは、上階の乗場に存在する利用者Ｍを検出し、利用者検出装置２５Ｂは下階の乗場に存在する利用者Ｍを検出する。利用者検出装置２５Ａ，２５Ｂは、例えば、昇降機１の乗場周辺に存在する利用者Ｍに光を照射し、この利用者Ｍから反射する反射光を受光することによってこの乗場周辺に存在する利用者Ｍを検出する人感センサなどである。利用者検出装置２５Ａ，２５Ｂは、利用者Ｍを検出したときに利用者検出信号Ｓ5を利用者検出信号入力部３４に出力する。
【００４２】
蓄電装置２６Ａ，２６Ｂは、昇降機１が停電状態であるときに電力を供給する装置である。蓄電装置２６Ａは、停電時に上階の利用者検出装置２５Ａ及び音声案内装置２７Ａに電力を供給し、蓄電装置２６Ｂは停電時に下階の利用者検出装置２５Ｂ及び音声案内装置２７Ｂに電力を供給する。蓄電装置２６Ａ，２６Ｂは、例えば、非停電時に昇降機１側の主電源から電力が供給されて電力を蓄積する非常用バッテリなどである。
【００４３】
音声案内装置２７Ａ，２７Ｂは、昇降機１に関する種々の情報を利用者Ｍに音声で案内する装置である。音声案内装置２７Ａは、上階の利用者Ｍに音声で案内し、音声案内装置２７Ｂは下階の利用者Ｍに音声で案内する。音声案内装置２７Ａ，２７Ｂは、昇降機１の休止状態を利用者Ｍに音声で案内したり、昇降機１の停電状態を利用者Ｍに音声で案内したり、上階及び下階の乗場へのかご２の到着、かご側ドア２ａ及び乗場側ドア７Ａ，７Ｂの開閉、地震発生及び火災発生などを利用者Ｍに音声で案内したりする。音声案内装置２７Ａ，２７Ｂは、音声案内指令信号入力部２８と、休止開始信号入力部２９と、休止終了信号入力部３０と、乗場呼出信号入力部３１と、停電開始信号入力部３２と、停電終了信号入力部３３と、利用者検出信号入力部３４と、音声案内指令部３５と、音声情報記憶部３６と、音声発生部３７と、制御部３８などを備えている。音声案内装置２７Ａ，２７Ｂは、いずれも同一構造であり、以下では上階の音声案内装置２７Ａを中心に説明する。
【００４４】
音声案内指令信号入力部２８は、音声案内指令信号出力部１８が出力する音声案内指令信号Ｓ11が入力する部分であり、この音声案内指令信号Ｓ11を制御部    に出力する。休止開始信号入力部２９は、休止開始信号出力部１９が出力する休止開始信号Ｓ21が入力する部分であり、この休止開始信号Ｓ21を音声案内指令部３５に出力する。休止終了信号入力部３０は、休止終了信号出力部２０が出力する休止終了信号Ｓ22が入力する部分であり、この休止終了信号Ｓ22を音声案内指令部３５に出力する。乗場呼出信号入力部３１は、乗場呼出信号出力部２１が出力する乗場呼出信号Ｓ31，Ｓ32が入力する部分であり、この乗場呼出信号Ｓ31，Ｓ32を音声案内指令部３５に出力する。停電開始信号入力部３２は、停電開始信号出力部２２が出力する停電開始信号Ｓ41が入力する部分であり、この停電開始信号Ｓ41を音声案内指令部３５に出力する。停電終了信号入力部３３は、停電終了信号出力部２３が出力する停電終了信号Ｓ42が入力する部分であり、この停電終了信号Ｓ42を音声案内指令部３５に出力する。利用者検出信号入力部３４は、利用者検出装置２５Ａ，２５Ｂが出力する利用者検出信号Ｓ5が入力する部分であり、この利用者検出信号Ｓ5を制御部３８に出力する。
【００４５】
音声案内指令部３５は、昇降機１が休止状態である場合に乗場呼出ボタン６Ａ，６Ｂが操作されたときに、この昇降機１の休止状態を音声発生部３７に音声で案内させる部分である。音声案内指令部３５は、外観からは昇降機１の休止状態を利用者Ｍが判別できないようなときに、乗場呼出ボタン６Ａ，６Ｂが利用者Ｍに操作されたタイミングで休止状態を音声で案内するように指令し、この昇降機１が動作状態であると利用者Ｍが誤認するのを防止する。音声案内指令部３５は、昇降機１が休止状態になるときにこの昇降機１の制御装置２４が送信する休止開始信号Ｓ21と、昇降機１の乗場呼出ボタン６Ａ，６Ｂが操作されたときにこの昇降機１の制御装置２４が送信する乗場呼出信号Ｓ31，Ｓ32とに基づいて、この昇降機１の休止状態を音声発生部３７に音声で案内させる。
【００４６】
音声案内指令部３５は、昇降機１が停電状態である場合に利用者検出装置２５Ａ，２５Ｂが利用者Ｍを検出したときには、この昇降機１の休止状態を音声発生部３７に音声で案内させる。音声案内指令部３５は、昇降機１が停電状態になったときに、昇降機１を利用する利用者Ｍを利用者検出装置２５Ａ，２５Ｂが検出したタイミングで休止状態を音声で案内するように指令し、この昇降機１が動作状態であると利用者Ｍが誤認するのを防止する。音声案内指令部３５は、昇降機１が停電状態になるときにこの昇降機１の制御装置２４が送信する停電開始信号Ｓ41と、昇降機１の乗場呼出ボタン６Ａ，６Ｂが操作されたときにこの昇降機１の制御装置２４が送信する乗場呼出信号Ｓ31，Ｓ32とに基づいて、この昇降機１の停電状態を音声発生部３７に音声で案内させる。
【００４７】
音声案内指令部３５は、休止開始信号Ｓ21が入力してから休止終了信号Ｓ22が入力するまでの間（休止期間中）に、乗場呼出信号Ｓ31，Ｓ32が入力したときに音声案内指令信号Ｓ12を出力する。また、音声案内指令部３５は、停電開始信号Ｓ41が入力してから停電終了信号Ｓ42が入力するまでの間（停電期間中）に、利用者検出信号Ｓ5が入力したときに音声案内指令信号Ｓ12を出力する。音声案内指令部３５は、例えば、入力信号によって接点が開閉するリレー回路などによって構成されたリレー盤（コネクタ）である。音声案内指令部３５は、乗場呼出ボタン６Ａ，６Ｂが操作された階に存在する音声発生部３７のみに音声で案内させる。音声案内指令部３５は、乗場呼出ボタン６Ａが操作されたときには、上階に存在する音声案内装置２７Ａの音声発生部３７のみに音声で案内させる。一方、音声案内指令部３５は、乗場呼出ボタン６Ｂが操作されたときには、下階に存在する音声案内装置２７Ｂの音声発生部３７のみに音声で案内させる。音声案内指令部３５は、利用者検出装置２５Ａ，２５Ｂによって利用者Ｍが検出された階に存在する音声発生部３７のみに音声で案内させる。音声案内指令部３５は、上階の乗場の利用者Ｍを利用者検出装置２５Ａが検出したときには、この上階に存在する音声案内装置２７Ａの音声発生部３７のみに音声で案内させる。一方、音声案内指令部３５は、下階の乗場の利用者Ｍを利用者検出装置２５Ｂが検出したときには、この下階に存在する音声案内装置２７Ｂの音声発生部３７のみに音声で案内させる。音声案内指令部３５には、音声案内指令信号入力部２８、休止開始信号入力部２９、休止終了信号入力部３０、乗場呼出信号入力部３１、停電開始信号入力部３２、停電終了信号入力部３３及び利用者検出信号入力部３４が接続されている。音声案内指令部３５は、音声案内指令信号Ｓ12を制御部３８に出力する。
【００４８】
音声情報記憶部３６は、音声発生部３７が発生する種々の音声を音声情報として記憶する部分である。音声情報記憶部３６は、例えば、昇降機１の休止状態を案内する音声情報、昇降機１の停電状態を案内する音声情報、各階の乗場へのかご２の到着を案内する音声情報、かご側ドア２ａ及び乗場側ドア７Ａ，７Ｂの開閉を案内する音声情報、地震発生を案内する音声情報及び火災発生を案内する音声情報などを記憶するメモリである。
【００４９】
音声発生部３７は、利用者Ｍを案内するための音声を発生する部分である。音声発生部３７は、非常時以外には原則として使用されないため、悪戯を防止して特別な防水処理が不要なように、昇降機１の乗場側ドア７Ａ，７Ｂ付近の壁面の内側のような利用者Ｍから見えない位置に設置されている。音声発生部３７は、例えば、コーン紙などの振動坂を省略して圧電振動子の耐熱樹脂容器などを設置し、壁面のような共鳴体を振動坂として利用して音声を発生するコーンレススピーカなどの振動スピーカである。
【００５０】
制御部３８は、音声案内装置２７Ａ，２７Ｂに関する種々の動作を制御する中央処理部（CPU）である。制御部３８は、例えば、利用者検出装置２５Ａ，２５Ｂに利用者Ｍの検出を指令したり、蓄電装置２６Ａ，２６Ｂに電力の供給を指令したり、蓄電装置２６Ａ，２６Ｂから供給される電力を利用者検出装置２５Ａ，２５Ｂ及び音声案内装置２７Ａ，２７Ｂに供給したり、音声案内指令信号入力部２８が出力する音声案内指令信号Ｓ11に基づいて音声情報記憶部３６から音声情報を読み出してこの音声情報を音声発生部３７に出力したり、音声案内指令部３５が出力する音声案内指令信号Ｓ12に基づいて音声情報記憶部３６から音声情報を読み出してこの音声情報を音声発生部３７に出力したり、音声発生部３７を動作制御したり、昇降機１が動作開始時刻に達したときに昇降機動作開始信号を音声案内指令部３５に出力したり、昇降機１が動作終了時刻に達したときに昇降機動作終了信号を音声案内指令部３５に出力したりする。制御装置２４には、利用者検出装置２５Ａ，２５Ｂ、蓄電装置２６Ａ，２６Ｂ、音声案内指令信号入力部２８、音声案内指令部３５、音声情報記憶部３６及び音声発生部３７などが通信手段によって相互に通信可能に接続されている。
【００５１】
次に、この発明の第１実施形態に係る昇降機の音声案内装置の動作を説明する。
以下では、昇降機１が休止状態又は停電状態である場合に、上階の乗場の利用者Ｍが乗場呼出ボタン６Ａを操作したときに、この上階の音声案内装置２７Ａがこの利用者Ｍに音声で案内する場合を例に挙げて説明する。また、以下では、音声案内指令部３５の動作を中心として説明する。
図３に示すステップ１００（以下、Ｓという）において、昇降機動作開始信号が制御部３８から入力したか否かを音声案内指令部３５が判断する。昇降機１が動作開始時刻に達すると昇降機動作開始信号を音声案内指令部３５に制御部３８が出力し、この昇降機動作開始信号が音声案内指令部３５に入力する。昇降機動作開始信号が入力したと音声案内指令部３５が判断したときにはＳ１１０に進み、昇降機動作開始信号が入力していないと音声案内指令部３５が判断したときには、この昇降機動作開始信号が入力するまで音声案内指令部３５がＳ１００の判断を繰り返す。
【００５２】
Ｓ１１０において、停電開始信号入力部３２から停電開始信号Ｓ41が入力したか否かを音声案内指令部３５が判断する。例えば、図４に示す時刻Ｔ21において、図１に示す昇降機１に主電源から電力が供給されずこの昇降機１が停電状態になると、電源状態検出部１７が停電開始信号Ｓ41を制御装置２４に出力し、音声案内装置２７Ａの音声案内指令部３５にこの停電開始信号Ｓ41が入力する。停電開始信号Ｓ41が入力していないと音声案内指令部３５が判断したときにはＳ１２０に進み、停電開始信号Ｓ41が入力したと音声案内指令部３５が判断したときにはＳ１７０に進む。
【００５３】
図３に示すＳ１２０において、休止開始信号入力部２９から休止開始信号Ｓ21が入力したか否かを音声案内指令部３５が判断する。例えば、図４に示す時刻Ｔ14において、故障、地震、火災、手動休止又はメンテナンスなどによって図１に示す昇降機１が休止状態になると、休止開始信号出力部１９が休止開始信号Ｓ21を制御装置２４に出力し、音声案内装置２７Ａの音声案内指令部３５にこの休止開始信号Ｓ21が入力する。休止開始信号Ｓ21が入力したと音声案内指令部３５が判断したときにはＳ１３０に進み、休止開始信号Ｓ21が入力していないと音声案内指令部３５が判断したときにはＳ１６０に進む。
【００５４】
図３に示すＳ１３０において、乗場呼出信号入力部３１から乗場呼出信号Ｓ31が入力したか否かを音声案内指令部３５が判断する。例えば、図４に示す時刻Ｔ15，Ｔ17，Ｔ18，Ｔ19において、図２（Ａ）に示す上階の乗場の利用者Ｍが乗場呼出ボタン６Ａを操作すると、図１に示す乗場呼出信号出力部２１が乗場呼出信号Ｓ31，Ｓ32を制御装置２４に出力し、音声案内装置２７Ａの音声案内指令部３５にこの乗場呼出信号Ｓ31，Ｓ32が入力する。乗場呼出信号Ｓ31が入力したと音声案内指令部３５が判断したときにはＳ１４０に進み、乗場呼出信号Ｓ31が入力していないと音声案内指令部３５が判断したときにはＳ１６０に進む。
【００５５】
図３に示すＳ１４０において、音声案内指令信号Ｓ12を音声案内指令部３５が制御部３８に出力する。音声案内指令信号Ｓ12が制御部３８に入力すると、昇降機１が休止状態であるときに利用者Ｍに案内する音声情報を音声情報記憶部３６から制御部３８が読み出して、この音声情報を制御部３８が音声発生部３７に出力する。例えば、図４に示すように、時刻Ｔ14から時刻Ｔ20までの昇降機１が休止状態である間に、時刻Ｔ15，Ｔ17，Ｔ19において上階の乗場の利用者Ｍが乗場呼出ボタン６Ａを操作したタイミングで、音声発生部３７が略同時に音声案内を発生する。その結果、例えば、図２（Ａ）に示すように、「（ピンポン）ただいまエレベータは利用できません。（ピンポン）ただいまエレベータは利用できません。申し訳ありませんが階段又はエスカレータをご利用下さい。」のような昇降機休止中のアナウンス内容を20秒程度の時間で音声発生部３７が出力する。
【００５６】
例えば、図４に示す時刻Ｔ17において、音声発生部３７が昇降機休止中の音声案内を発生している間に、時刻Ｔ18において乗場呼出ボタン６Ａが利用者Ｍに操作されて乗場呼出信号Ｓ31が音声案内指令部３５に入力する場合がある。このような場合には、既に実行中の音声案内を中断して最初から音声案内を開始しないように、時刻Ｔ18において音声発生部３７による昇降機休止中の音声案内を音声案内指令部３５が制御部３８に指令しない。一方、時刻Ｔ19において音声発生部３７が昇降機休止中の音声案内を発生している間に、時刻Ｔ20において休止終了信号入力部３０から休止終了信号Ｓ22が音声案内指令部３５に入力する場合がある。このような場合には、既に実行中の音声案内を強制的に終了するように、時刻Ｔ20において音声発生部３７による昇降機休止中の音声案内の停止を音声案内指令部３５が制御部３８に指令する。また、時刻Ｔ14において昇降機１が休止中になる前に、時刻Ｔ12において上階の乗場の利用者Ｍが乗場呼出ボタン６Ａを操作したときには、この時刻Ｔ12において音声発生部３７による昇降機休止中の音声案内を音声案内指令部３５が制御部３８に指令しない。同様に、時刻Ｔ20において昇降機１が休止中から動作可能状態に復帰した後に、時刻Ｔ27において上階の乗場の利用者Ｍが乗場呼出ボタン６Ａを操作したときにも、この時刻Ｔ27において音声発生部３７による昇降機休止中の音声案内を音声案内指令部３５が制御部３８に指令しない。
【００５７】
図３に示すＳ１５０において、休止終了信号入力部３０から休止終了信号Ｓ22が入力したか否かを音声案内指令部３５が判断する。例えば、図４に示す時刻Ｔ20において、故障、地震、火災、手動休止又はメンテナンスなどから復旧して図１に示す昇降機１が休止解除状態になると、休止終了信号出力部２０が休止終了信号Ｓ22を制御装置２４に出力し、音声案内装置２７Ａの音声案内指令部３５にこの休止終了信号Ｓ22が入力する。休止終了信号Ｓ22が入力したと音声案内指令部３５が判断したときにはＳ１６０に進み、休止終了信号Ｓ22が入力していないと音声案内指令部３５が判断したときにはＳ１３０に戻り、Ｓ１３０以降の音声案内処理を音声案内指令部３５が繰り返す。
【００５８】
図３に示すＳ１６０において、昇降機動作終了信号が制御部３８から入力したか否かを音声案内指令部３５が判断する。昇降機１が動作終了時刻に達すると昇降機動作終了信号を音声案内指令部３５に制御部３８が出力し、この昇降機動作終了信号が音声案内指令部３５に入力する。昇降機動作終了信号が入力したと音声案内指令部３５が判断したときには一連の音声案内処理を終了し、昇降機動作終了信号が入力していないと音声案内指令部３５が判断したときにはＳ１１０に戻り、Ｓ１１０以降の音声案内処理を音声案内指令部３５が繰り返す。
【００５９】
Ｓ１７０において、利用者検出信号入力部３４から利用者検出信号Ｓ5が入力したか否かを音声案内指令部３５が判断する。Ｓ１１０において、停電開始信号入力部３２から停電開始信号Ｓ41が音声案内指令部３５に入力したときには、昇降機１に主電源から電力が供給されず昇降機１が停電状態になっている。このため、図２（Ａ）に示すように、上階の乗場の利用者Ｍが乗場呼出ボタン６Ａを操作してもこの乗場呼出ボタン６Ａが動作せず、乗場呼出信号Ｓ31，Ｓ32が音声案内指令部３５に入力しない。例えば、図４に示すように、時刻Ｔ21から時刻Ｔ26までの昇降機１が停電状態である間に、図２（Ａ）に示すように上階の乗場の利用者Ｍが乗場呼出ボタン６Ａを操作しても、この乗場呼出ボタン６Ａが操作されたタイミングで音声発生部３７から音声案内を発生させることができない。このため、図４に示す時刻Ｔ21において、停電開始信号入力部３２から停電開始信号Ｓ41が音声案内指令部３５に入力したときには、図１に示す音声案内装置２７Ａ及び利用者検出装置２５Ａに蓄電装置２６Ａから電力が供給される。その結果、図２（Ｂ）に示すように、上階の乗場の利用者Ｍを利用者検出装置２５Ａが検出して、図１に示す利用者検出装置２５Ａが利用者検出信号Ｓ5を出力し、利用者検出信号入力部３４から利用者検出信号Ｓ5が音声案内指令部３５に入力する。利用者検出信号Ｓ5が入力したと音声案内指令部３５が判断したときにはＳ１８０に進み、利用者検出信号Ｓ5が入力していないと音声案内指令部３５が判断したときにはＳ１９０に進む。
【００６０】
図３に示すＳ１８０において、音声案内指令信号Ｓ12を音声案内指令部３５が制御部３８に出力する。図１に示す音声案内指令信号Ｓ12が制御部３８に入力すると、昇降機１が停電状態であるときに利用者Ｍに案内する音声情報を音声情報記憶部３６から制御部３８が読み出して、この音声情報を制御部３８が音声発生部３７に出力する。例えば、図４に示すように、時刻Ｔ21から時刻Ｔ26までの昇降機１が停電状態である間に、時刻Ｔ22，Ｔ23，Ｔ25において上階の乗場の利用者Ｍを利用者検出装置２５Ａが検出したタイミングで、音声発生部３７が略同時に音声案内を発生する。その結果、例えば、図２（Ｂ）に示すように、「（ピンポン）ただいまエレベータは停電のため利用できません。（ピンポン）ただいまエレベータは停電のため利用できません。申し訳ありませんが階段又はエスカレータをご利用下さい。」のような昇降機停電中のアナウンス内容を20秒程度の時間で音声発生部３７が出力する。
【００６１】
例えば、図４に示す時刻Ｔ23において、音声発生部３７が昇降機停電中の音声案内を発生している間に、時刻Ｔ24において利用者検出装置２５Ａが利用者Ｍを検出して利用者検出信号Ｓ5が音声案内指令部３５に入力する場合がある。このような場合には、既に実行中の音声案内を中断して最初から音声案内を開始しないように、時刻Ｔ24において音声発生部３７による昇降機停電中の音声案内を音声案内指令部３５が制御部３８に指令しない。一方、時刻Ｔ25において音声発生部３７が昇降機停電中の音声案内を発生している間に、時刻Ｔ26において停電終了信号入力部３３から停電終了信号Ｓ42が音声案内指令部３５に入力する場合がある。このような場合には、既に実行中の音声案内を強制的に終了するように、時刻Ｔ26において音声発生部３７による昇降機停電中の音声案内の停止を音声案内指令部３５が制御部３８に指令する。また、時刻Ｔ11から時刻Ｔ21までの昇降機１が非停電状態（動作可能状態）である間に、時刻Ｔ13，Ｔ16，Ｔ18において利用者検出装置２５Ａが利用者Ｍを検出して利用者検出信号Ｓ5が音声案内指令部３５に入力する場合がある。同様に、時刻Ｔ26以降の昇降機１が非停電状態（動作可能状態）である間に、時刻Ｔ28において利用者検出装置２５Ａが利用者Ｍを検出して利用者検出信号Ｓ5が音声案内指令部３５に入力する場合がある。このような場合には、昇降機停電中のアナウンス内容を音声発生部３７が出力しないように、時刻Ｔ13，Ｔ16，Ｔ18，Ｔ28において音声発生部３７による昇降機停電中の音声案内を音声案内指令部３５が制御部３８に指令しない。
【００６２】
図３に示すＳ１９０において、停電終了信号入力部３３から停電終了信号Ｓ42が入力したか否かを音声案内指令部３５が判断する。例えば、図４に示す時刻Ｔ26において、図１に示す昇降機１が停電状態から復帰して昇降機１が給電状態（動作可能状態）になると、停電終了信号出力部２３が停電終了信号Ｓ42を制御装置２４に出力し、音声案内装置２７Ａの音声案内指令部３５にこの停電終了信号Ｓ42が入力する。停電終了信号Ｓ42が入力したと音声案内指令部３５が判断したときにはＳ１２０に進み、Ｓ１２０以降の音声案内処理を音声案内指令部３５が実行する。一方、停電終了信号Ｓ42が入力していないと音声案内指令部３５が判断したときにはＳ１７０に戻り、Ｓ１７０以降の音声案内処理を音声案内指令部３５が繰り返す。
【００６３】
この発明の第１実施形態に係る昇降機の音声案内装置には、以下に記載するような効果がある。
(1) この第１実施形態では、昇降機１が休止状態である場合に乗場呼出ボタン６Ａ，６Ｂが操作されたときに、この昇降機１の休止状態を音声発生部３７に音声案内指令部３５が音声で案内させる。例えば、エスカレータなどの場合には休止状態であるか否かを利用者Ｍが外部から容易に判別可能であるが、エレベータのような昇降機１の場合には休止状態であるか否かを利用者Ｍが外部から容易に判別不可能である。また、乗場呼出ボタン６Ａ，６Ｂが押されたときだけ休止中を表示部に表示させる場合には、乗場呼出ボタン６Ａ，６Ｂから手を放すと直ちに休止中の表示が消灯するため、昇降機１の休止状態を利用者Ｍに明確に知らせることができない。さらに、昇降機１の休止状態を利用者Ｍに継続して音声で案内し続ける場合には、昇降機１が複数存在するようなときにはどの昇降機１に対する案内なのか利用者Ｍには分かり難い。この第１実施形態では、昇降機１の乗場呼出ボタン６Ａ，６Ｂが利用者Ｍに操作されたタイミングでこの昇降機１の使用停止状態をこの利用者Ｍに向けて音声で明確に案内することができる。その結果、乗場呼出ボタン６Ａ，６Ｂが利用者Ｍによって操作されたときにはこの利用者Ｍがこの乗場に必ず存在するため、昇降機１の休止状態を利用者Ｍに音声によって確実に知らせることができる。また、昇降機１が休止状態であるときに利用者Ｍを係員が誘導したり案内したりする必要がなくなって、係員の負担を軽減することができる。
【００６４】
(2) この第１実施形態では、昇降機１が休止状態になるときにこの昇降機１の制御装置２４が送信する休止開始信号Ｓ21と、この昇降機１の乗場呼出ボタン６Ａ，６Ｂが操作されたときにこの昇降機１の制御装置２４が送信する乗場呼出信号Ｓ31，Ｓ32とに基づいて、この昇降機１の休止状態を音声発生部３７に音声案内指令部３５が音声で案内させる。このため、昇降機１の故障時、地震検知時、火災検知時、手動休止時及びメンテナンス時などに出力される昇降機１の状態監視信号から休止開始信号Ｓ21を簡単に生成し、かご２の呼出時に出力される乗場呼出信号Ｓ31，Ｓ32とともに利用することができる。その結果、昇降機１側から音声案内装置２７Ａ，２７Ｂ側に乗場呼出信号Ｓ31，Ｓ32及び休止開始信号Ｓ21を出力させて、昇降機１の休止状態を利用者Ｍに直ちに音声で案内することができる。
【００６５】
(3) この第１実施形態では、乗場呼出ボタン６Ａ，６Ｂが操作された階に存在する音声発生部３７のみに音声案内指令部３５が音声で案内させる。このため、乗場に利用者Ｍが存在するときのみ、この乗場の利用者Ｍが気付くように昇降機１の休止状態を分かり易く確実に知らせることができる。
【００６６】
(4) この第１実施形態では、音声発生部３７が利用者Ｍから見えない位置に設置されている。このため、音声発生部３７が隠蔽状態になるため悪戯が防止され、音声発生部３７を防水処理や防滴処理する必要がなくなるとともに、音声発生部３７を収容するための孔を壁面にあけたりする工事が不要になり、メンテナンス費用や施工費用を削減することができる。
【００６７】
(5) この第１実施形態では、昇降機１が停電状態である場合に利用者検出装置２５Ａ，２５Ｂが利用者Ｍを検出したときには、この昇降機１の休止状態を音声案内指令部３５が音声発生部３７に音声で案内させる。このため、昇降機１が停電状態になり乗場呼出ボタン６Ａ，６Ｂが動作不能になった場合にも、昇降機１の停電状態を乗場の利用者Ｍに音声で明確に案内することができる。
【００６８】
(6) この第１実施形態では、昇降機１が停電状態になるときにこの昇降機１の制御装置２４が送信する停電開始信号Ｓ41と、この昇降機１の乗場呼出ボタン６Ａ，６Ｂが操作されたときにこの昇降機１の制御装置２４が送信する乗場呼出信号Ｓ31，Ｓ32とに基づいて、この昇降機１の休止状態を音声発生部３７に音声案内指令部３５が音声で案内させる。このため、安価な利用者検出装置２５Ａ，２５をオプション品として追加するだけで、利用者検出装置２５Ａ，２５によって乗場への利用者Ｍの接近を検出することができ、昇降機１の停電状態をこの利用者Ｍに音声で確実に案内することができる。
【００６９】
(7) この第１実施形態では、利用者検出装置２５Ａ，２５Ｂによって利用者Ｍが検出された階に存在する音声発生部３７のみに音声案内指令部３５が音声で案内させる。このため、乗場に利用者Ｍが存在するときのみ、この乗場の利用者Ｍが気付くように昇降機１の停電状態を分かり易く確実に知らせることができる。
【００７０】
(8) この第１実施形態では、昇降機１が停電状態であるときに蓄電装置２６Ａ，２６Ｂが電力を供給する。このため、昇降機１の主電源から音声案内装置２７Ａ，２７Ｂ及び利用者検出装置２５Ａ，２５Ｂに電源が供給されなくなっても、音声案内装置２７Ａ，２７Ｂ及び利用者検出装置２５Ａ，２５Ｂに蓄電装置２６Ａ，２６Ｂから電力を供給することができる。また、安価な蓄電装置２６Ａ，２６Ｂをオプション品として追加するだけで、昇降機１の停電状態を確実に音声で案内することができる。
【００７１】
（第２実施形態）
以下では、図１及び図２に示す部分と同一又は対応する部分については、同一又は対応する番号を付して詳細な説明を省略する。
図５に示す設備機器３９は、外部からは休止状態を判別不可能な機器である。設備機器３９は、例えば、乗車券類を自動で販売する自動券売機、冬季の室内保温を目的として鉄道車両のドアを開閉するときに乗客が操作する半自動ドアスイッチなどである。設備機器３９は、休止状態や停電状態になっても外部に変化が現れず、動作可能状態と休止状態とを利用者Ｍが視覚によって判別不可能である。
【００７２】
操作ボタン４０は、設備機器３９を操作するときに利用者Ｍが操作する部分である。操作ボタン４０は、例えば、設備機器３９が自動券売機である場合には利用者Ｍが操作するタッチパネル式の押しボタン式スイッチであり、設備機器３９が鉄道車両の半自動ドアスイッチである場合には押しボタンである。操作ボタン４０は、設備機器３９の各動作に対応して設定されており、設備機器３９が自動券売機である場合には乗車券類の種類及び運賃などを利用者Ｍが選択するときに操作され、設備機器３９が鉄道車両の半自動ドアスイッチである場合にはドアの開放及び閉鎖を利用者Ｍが選択するときに操作される。操作ボタン４０は、設備機器３９の各動作を選択するために利用者Ｍによって操作されたときに、設備機器３９の各動作に対応する操作信号Ｓ6を制御装置４２に出力する。操作信号出力部４１は、操作ボタン４０が操作されたときに操作信号Ｓ6を出力する部分である。操作信号出力部４１は、操作ボタン４０が出力する操作信号Ｓ6を音声案内装置４３に出力する。
【００７３】
制御装置４２は、設備機器３９に関する種々の動作を制御する中央処理部（CPU）である。制御装置４２は、例えば、操作ボタン４０が出力する操作信号Ｓ6に基づいて設備機器３９を動作制御したり、操作ボタン４０が出力する操作信号Ｓ6を操作信号出力部４１に送信したりする。制御装置４２には、故障検出部１１、手動休止設定部１４、メンテナンス設定部１５、休止解除設定部１６、電源状態検出部１７、音声案内指令信号出力部１８、休止開始信号出力部１９、休止終了信号出力部２０、停電開始信号出力部２２、停電終了信号出力部２３、設備機器３９、操作ボタン４０及び操作信号出力部４１などが通信手段によって相互に通信可能に接続されている。
【００７４】
音声案内装置４３は、設備機器３９に関する種々の情報を利用者Ｍに音声で案内する装置である。音声案内装置４３は、外部からは設備機器３９の休止状態を判別不可能な設備機器３９の休止状態を利用者Ｍに音声で案内したり、外部からは設備機器３９の停電状態を判別不可能な設備機器３９の停電状態を利用者Ｍに音声で案内したりする。音声案内装置４３は、音声案内指令信号入力部２８と、休止開始信号入力部２９と、休止終了信号入力部３０と、停電開始信号入力部３２と、停電終了信号入力部３３と、利用者検出信号入力部３４と、音声情報記憶部３６と、音声発生部３７と、操作信号入力部４４と、音声案内指令部４５と、制御部４６などを備えている。操作信号入力部４４は、操作信号出力部４１が出力する操作信号Ｓ6が入力する部分であり、この操作信号Ｓ6を音声案内指令部４５に出力する。
【００７５】
音声案内指令部４５は、設備機器３９が休止状態である場合に操作ボタン４０が操作されたときに、この設備機器３９の休止状態を音声発生部３７に音声で案内させる部分である。音声案内指令部４５は、操作ボタン４０が利用者Ｍに操作されたタイミングで休止状態を音声で案内するように指令し、この設備機器３９が動作状態であると利用者Ｍが誤認するのを防止する。音声案内指令部４５は、設備機器３９が休止状態になるときにこの設備機器３９の制御装置４２が送信する休止開始信号Ｓ21と、設備機器３９の操作ボタン４０が操作されたときにこの設備機器３９の制御装置４２が送信する操作信号Ｓ6とに基づいて、この設備機器３９の休止状態を音声発生部３７に音声で案内させる。
【００７６】
音声案内指令部４５は、設備機器３９が停電状態である場合に利用者検出装置２５が利用者Ｍを検出したときには、この設備機器３９の休止状態を音声発生部３７に音声で案内させる。音声案内指令部４５は、設備機器３９が停電状態になったときに、設備機器３９を利用する利用者Ｍを利用者検出装置２５が検出したタイミングで休止状態を音声で案内するように指令し、この設備機器３９が動作状態であると利用者Ｍが誤認するのを防止する。音声案内指令部４５は、設備機器３９が停電状態になるときにこの設備機器３９の制御装置４２が送信する停電開始信号Ｓ41と、設備機器３９の操作ボタン４０が操作されたときにこの設備機器３９の制御装置４２が送信する操作信号Ｓ6とに基づいて、この設備機器３９の停電状態を音声発生部３７に音声で案内させる。音声案内指令部４５は、音声案内指令信号Ｓ12を制御部４６に出力する。
【００７７】
制御部４６は、音声案内装置４３に関する種々の動作を制御する中央処理部（CPU）である。制御部４６は、例えば、利用者検出装置２５に利用者Ｍの検出を指令したり、蓄電装置２６に電力の供給を指令したり、蓄電装置２６から供給される電力を利用者検出装置２５及び音声案内装置４３に供給したり、音声案内指令部４５が出力する音声案内指令信号Ｓ12に基づいて音声情報記憶部３６から音声情報を読み出してこの音声情報を音声発生部３７に出力したり、設備機器３９が動作開始時刻に達したときに設備機器動作開始信号を音声案内指令部４５に出力したり、設備機器３９が動作終了時刻に達したときに設備機器動作終了信号を音声案内指令部４５に出力したりする。制御部４６には、利用者検出装置２５、蓄電装置２６、音声案内指令信号入力部２８、音声情報記憶部３６、音声発生部３７及び音声案内指令部４５などが通信手段によって相互に通信可能に接続されている。
【００７８】
次に、この発明の第２実施形態に係る設備機器の音声案内装置の動作を説明する。
以下では、図３に示すステップと同一のステップについては、対応する番号を付して詳細な説明を省略する。
図６に示すＳ２００において、設備機器動作開始信号が制御部４６から入力したか否かを音声案内指令部４５が判断し、設備機器動作開始信号が入力したときにはＳ２１０に進み、設備機器動作開始信号が入力していないときには、この設備機器動作開始信号が入力するまで音声案内指令部３５がＳ２００の判断を繰り返す。Ｓ２１０において、停電開始信号入力部３２から停電開始信号Ｓ41が入力したか否かを音声案内指令部４５が判断し、停電開始信号Ｓ41が入力していないときにはＳ２２０に進み、停電開始信号Ｓ41が入力したときにはＳ２７０に進む。Ｓ２２０において、休止開始信号入力部２９から休止開始信号Ｓ21が入力したか否かを音声案内指令部４５が判断し、休止開始信号Ｓ21が入力したときにはＳ２３０に進み、休止開始信号Ｓ21が入力していないときにはＳ２６０に進む。Ｓ２３０において、操作信号入力部４４から操作信号Ｓ6が入力したか否かを音声案内指令部４５が判断し、操作信号Ｓ6が入力したときにはＳ２４０に進み、操作信号Ｓ6が入力していないときにはＳ２６０に進む。
【００７９】
Ｓ２４０において、音声案内指令信号Ｓ12を音声案内指令部４５が制御部４６に出力する。音声案内指令信号Ｓ12が制御部４６に入力すると、設備機器３９が休止状態であるときに利用者Ｍに案内する音声情報を音声情報記憶部３６から制御部４６が読み出して、この音声情報を制御部４６が音声発生部３７に出力する。例えば、設備機器３９が休止状態である間に、利用者Ｍが操作ボタン４０を操作したタイミングで、音声発生部３７が略同時に音声案内を発生する。その結果、例えば、設備機器３９が自動券売機の場合には「（ピンポン）ただいまこの券売機は利用できません。申し訳ありませんが他の券売機をご利用下さい。」のような設備機器休止中のアナウンス内容や、設備機器３９が半自動ドアスイッチの場合には「（ピンポン）ただいまこのドアは利用できません。申し訳ありませんが他のドアをご利用下さい。」のような設備機器休止中のアナウンス内容を音声発生部３７が出力する。
【００８０】
Ｓ２５０において、休止終了信号入力部３０から休止終了信号Ｓ22が入力したか否かを音声案内指令部４５が判断し、休止終了信号Ｓ22が入力したときにはＳ２６０に進み、休止終了信号Ｓ22が入力していないときにはＳ２３０に戻り、Ｓ２３０以降の音声案内処理を音声案内指令部４５が繰り返す。Ｓ２６０において、設備機器動作終了信号が制御部４６から入力したか否かを音声案内指令部４５が判断し、設備機器動作終了信号が入力したときには一連の音声案内処理を終了し、設備機器動作終了信号が入力していないときにはＳ２１０に戻り、Ｓ２１０以降の音声案内処理を音声案内指令部４５が繰り返す。
【００８１】
Ｓ２７０において、利用者検出信号入力部３４から利用者検出信号Ｓ5が入力したか否かを音声案内指令部４５が判断する。Ｓ２１０において、停電開始信号入力部３２から停電開始信号Ｓ41が音声案内指令部４５に入力したときには、設備機器３９に主電源から電力が供給されず設備機器３９が停電状態になっている。このため、操作ボタン４０を操作してもこの操作ボタン４０が動作せず、操作信号Ｓ6が音声案内指令部４５に入力しない。このため、停電開始信号入力部３２から停電開始信号Ｓ41が音声案内指令部４５に入力したときには、音声案内装置４３及び利用者検出装置２５に蓄電装置２６から電力が供給される。その結果、利用者Ｍを利用者検出装置２５が検出して、利用者検出装置２５が利用者検出信号Ｓ5を出力し、利用者検出信号入力部３４から利用者検出信号Ｓ5が音声案内指令部４５に入力する。利用者検出信号Ｓ5が入力したと音声案内指令部４５が判断したときにはＳ２８０に進み、利用者検出信号Ｓ5が入力していないと音声案内指令部４５が判断したときにはＳ２９０に進む。
【００８２】
Ｓ２８０において、音声案内指令信号Ｓ12を音声案内指令部４５が制御部４６に出力する。音声案内指令信号Ｓ12が制御部４６に入力すると、設備機器３９が停電状態であるときに利用者Ｍに案内する音声情報を音声情報記憶部３６から制御部４６が読み出して、この音声情報を制御部４６が音声発生部３７に出力する。例えば、設備機器３９が停電状態である間に、利用者Ｍを利用者検出装置２５が検出したタイミングで、音声発生部３７が略同時に音声案内を発生する。例えば、「（ピンポン）ただいま停電のため利用できません。」のような設備機器停電中のアナウンス内容を音声発生部３７が出力する。
【００８３】
Ｓ２９０において、停電終了信号入力部３３から停電終了信号Ｓ42が入力したか否かを音声案内指令部４５が判断する。停電終了信号Ｓ42が入力したときにはＳ２２０に進み、Ｓ２２０以降の音声案内処理を音声案内指令部４５が実行し、停電終了信号Ｓ42が入力していないときにはＳ２７０に戻り、Ｓ２７０以降の音声案内処理を音声案内指令部４５が繰り返す。
【００８４】
この発明の第２実施形態に係る設備機器の音声案内装置には、以下に記載するような効果がある。
(1) この第２実施形態では、設備機器３９が休止状態である場合にこの設備機器３９の操作ボタン４０が操作されたときに、この設備機器３９の休止状態を音声案内指令部４５が音声発生部３７に音声で案内させる。例えば、自動券売機や半自動ドアスイッチなどの場合には、休止状態であるか否かを利用者Ｍが外部から容易に判別不可能である。また、設備機器３９の休止状態を利用者Ｍに継続して音声で案内し続ける場合には、設備機器３９が複数存在するようなときにはどの設備機器３９に対する案内なのか利用者Ｍには分かり難い。この第２実施形態では、設備機器３９の操作ボタン４０が利用者Ｍに操作されたタイミングでこの設備機器３９の使用停止状態をこの利用者Ｍに向けて音声で明確に案内することができる。また、設備機器３９が休止状態であるときに利用者Ｍを係員が誘導したり案内したりする必要がなくなって、係員の負担を軽減することができる。
【００８５】
(2) この第２実施形態では、設備機器３９が休止状態になるときにこの設備機器３９の制御装置４２が送信する休止開始信号Ｓ21と、この設備機器３９の操作ボタン４０が操作されたときにこの設備機器３９の制御装置４２が送信する操作信号Ｓ6とに基づいて、この設備機器３９の休止状態を音声案内指令部４５が音声発生部３７に音声で案内させる。このため、設備機器３９側から音声案内装置４３側に操作信号Ｓ6及び休止開始信号Ｓ21を出力させて、設備機器３９の休止状態を利用者Ｍに直ちに音声で案内することができる。
【００８６】
(3) この第２実施形態では、設備機器３９が停電状態である場合に利用者検出装置２５が利用者Ｍを検出したときには、この設備機器３９の休止状態を音声案内指令部４５が音声発生部３７に音声で案内させる。このため、設備機器３９が停電状態になり操作ボタン４０が動作不能になった場合にも、設備機器３９の停電状態を利用者Ｍに音声で明確に案内することができる。
【００８７】
(4) この第２実施形態では、設備機器３９が停電状態になるときにこの設備機器３９の制御装置４２が送信する停電開始信号Ｓ41と、この設備機器３９の操作ボタン４０が操作されたときにこの設備機器３９の制御装置４２が送信する操作信号Ｓ6とに基づいて、この設備機器３９の休止状態を音声案内指令部４５が前記音声発生部３７に音声で案内させる。このため、安価な利用者検出装置２５をオプション品として追加するだけで、利用者検出装置２５によって利用者Ｍの接近を検出することができ、設備機器３９の停電状態をこの利用者Ｍに音声で確実に案内することができる。
【００８８】
(5) この第２実施形態では、設備機器３９が停電状態であるときに蓄電装置２６が電力を供給する。このため、設備機器３９の主電源から音声案内装置４３及び利用者検出装置２５に電源が供給されなくなっても、音声案内装置４３及び利用者検出装置２５に蓄電装置２６から電力を供給することができる。また、安価な蓄電装置２６をオプション品として追加するだけで、設備機器３９の停電状態を確実に音声で案内することができる。
【００８９】
（他の実施形態）
この発明は、以上説明した実施形態に限定するものではなく、以下に記載するように種々の変形又は変更が可能であり、これらもこの発明の範囲内である。
(1) この第１実施形態では、昇降機１がエレベータである場合を例に挙げて説明したが、エスカレータ及び動く歩道などの他の形式の昇降機についてもこの発明を適用することができる。また、この第１実施形態では、昇降機１の駆動方式がロープ式である場合を例に挙げて説明したが、油圧式の昇降機についてもこの発明を適用することができる。さらに、この第１実施形態では、２層構造の上階と下階との間で利用者Ｍを移動させる場合を例に挙げて説明したが、３層構造以上の上階と下階との間で利用者Ｍを移動させる場合についてもこの発明を適用することができる。
【００９０】
(2) この第１実施形態及び第２実施形態では、昇降機１及び設備機器３９が停電時に音声案内装置２７Ａ，２７Ｂ，４３及び利用者検出装置２５，２５Ａ，２５Ｂに蓄電装置２６，２６Ａ，２６Ｂから電力を供給する場合を例に挙げて説明したが、昇降機１及び設備機器３９が非停電時であっても蓄電装置２６，２６Ａ，２６Ｂから電力を供給することもできる。また、この第１実施形態及び第２実施形態では、利用者検出装置２５，２５Ａ，２５Ｂが光学式の人感センサである場合を例に挙げて説明したが、利用者Ｍの通行を圧力の変化によって検出する圧電型の検出センサである場合についてもこの発明を適用することができる。さらに、この第２実施形態では、設備機器３９が自動券売機又は半自動式ドアスイッチである場合を例に挙げて説明したが、他の形式の設備機器についてもこの発明を適用することができる。
【符号の説明】
【００９１】
１  昇降機
６Ａ，６Ｂ  乗場呼出ボタン
１１  故障検出部
１２  地震検出部
１３  火災検出部
１４  手動休止設定部
１５  メンテナンス設定部
１６  休止解除設定部
１７  電源状態検出部
１８  音声案内指令信号出力部
１９  休止開始信号出力部
２０  休止終了信号出力部
２１  乗場呼出信号出力部
２２  停電開始信号出力部
２３  停電終了信号出力部
２４  制御装置
２５Ａ，２５Ｂ  利用者検出装置
２６Ａ，２６Ｂ  蓄電装置
２７Ａ，２７Ｂ  音声案内装置
２８  音声案内指令信号入力部
２９  休止開始信号入力部
３０  休止終了信号入力部
３１  乗場呼出信号入力部
３２  停電開始信号入力部
３３  停電終了信号入力部
３５  音声案内指令部
３６  音声情報記憶部
３７  音声発生部
３８  制御部
３９  設備機器
４０  操作ボタン
４１  操作信号出力部
４２  制御装置
４３  音声案内装置
４４  操作信号入力部
４５  音声案内指令部
４６  制御部
Ｍ  利用者
Ｓ11，Ｓ12  音声案内指令信号
Ｓ21  休止開始信号
Ｓ22  休止終了信号
Ｓ31，Ｓ32  乗場呼出信号
Ｓ41  停電開始信号
Ｓ42  停電終了信号
Ｓ5  利用者検出信号
Ｓ6  操作信号
【図１】
2013173602.tif 000003
【図２】
2013173602.tif 000004
【図３】
2013173602.tif 000005
【図４】
2013173602.tif 000006
【図５】
2013173602.tif 000007
【図６】
2013173602.tif 000008